(57)【特許請求の範囲】
【請求項１】
真空ベント口(2)を有するシリンダ(1)内で一対のスクリュ(3)が互いに噛み合い同方向に回転する二軸押出機の脱揮領域(5)において、前記脱揮領域(5)の上流の混練部(4)の直後に表面更新性スクリュ(6)を配置してなる押出機における脱揮装置において、
前記表面更新性スクリュ(6)の各スクリュセグメント(6B,6C)の外周に設けた各チップフライト部(20)が、隙間(21)を介して互いに非接触で噛み合うと共に、前記各チップフライト部(20)は、ねじりが形成され、かつ、前記表面更新性スクリュ(6)のスクリュ軸直角断面における長軸側の両端部に空隙間部(22)を介して形成され、
前記空隙間部(22)内を他の前記スクリュセグメント(6B又は6C)の前記チップフライト部(20)が通過できるように配置していることを特徴とする押出機における脱揮装置。
【請求項２】
前記チップフライト部(20)は、断面形状で台形をなすことを特徴とする請求項１記載の押出機における脱揮装置。
【請求項３】
真空ベント口(2)を有するシリンダ(1)内で一対のスクリュ(3)が互いに噛み合い同方向に回転する二軸押出機の脱揮領域(5)において、前記脱揮領域(5)の上流の混練部(4)の直後に表面更新性スクリュ(6)を配置してなる押出機における脱揮装置を用い、
前記表面更新性スクリュ(6)の各スクリュセグメント(6B,6C)の外周に設けたチップフライト部(20)が、隙間(21)を介して互いに非接触で噛み合うと共に、前記各チップフライト部(20)は、ねじりが形成され、かつ、前記表面更新性スクリュ(6)のスクリュ軸直角断面における長軸側の両端部に空隙間部(22)を介して形成され、
前記空隙間部(22)内を他の前記スクリュセグメント(6B又は6C)の前記チップフライト部(20)が通過できるように配置している状態で用いることを特徴とする押出機における脱揮方法。
【請求項４】
前記チップフライト部(20)は、断面形状で台形をなすことを特徴とする請求項３記載の押出機における脱揮方法。
【発明の詳細な説明】
【技術分野】
【０００１】
本発明は、押出機における脱揮装置及び方法に関し、特に、各スクリュセグメントのチップフライト部をねじることにより、輸送能力の付加及びシリンダ内部の原料の過剰充満の防止を得るための新規な改良に関する。
【背景技術】
【０００２】
従来、用いられていたこの種の押出機における脱揮装置としては、例えば、特許文献１〜４の従来構成を挙げることができる。
すなわち、前述の特許文献１の押出機のスクリュの搬送混練方法においては、図示していないが、混練部と脱揮部が交互に複数ヶ所に設けられ、脱揮部では真空状態になっており、この脱揮部においてスクリュの搬送混練作用により脱揮を行う方法である。
【０００３】
また、前述の特許文献２の脱揮用二軸スクリュ押出機においては、前述の特許文献１の構成の場合と同様に、原料に充満部で気密性が保持された脱揮領域で、原料を下流に移送可能なように捩れた混練フライトを有し、材料を下流に送りつつ練り混ぜて揮発分を分離する装置が提示され、図６で示されるように構成されていた。
すなわち、図６において、符号１で示されるものは、全体形状が長手中空状をなすシリンダであり、このシリンダ１の後段側にはシリンダ１内を負圧状態に保つための脱揮用の真空ベント口２が形成されている。
【０００４】
前記シリンダ１内には、一対のスクリュ３が互いに噛み合った状態で内設されており、このスクリュ３は、その上流から下流にかけて混練部４及び脱揮領域５が形成されている。
前記脱揮領域５は、その上流側、すなわち、前記混練部４の直後は表面更新性スクリュ６が形成されていると共に、この脱揮領域５の最下流位置には、原料充満部７が形成されている。
【０００５】
前記表面更新性スクリュ６は、図７及び図８に示されるように、各ディスク８が順次所定回転角度θずつずらせた状態でスクリュ軸１０に取付けられたスクリュセグメント９で構成されている。
次に、前述の構成において、前記シリンダ１の原料供給口（図示せず）からプラスチック原料を供給すると、スクリュ３により下流の混練部４へ輸送され、この混練部４で充満することにより、脱揮領域５の気密性が保たれた状態でこの脱揮領域５へ輸送される。
【０００６】
前記脱揮領域５へ輸送されたプラスチック原料は、前記表面更新性スクリュ６によって表面から内部へと入れ替えられ、プラスチック原料に含有されている揮発成分を分離・除去しながら下流へ輸送され、前記原料充満部７を経て、図示しないダイスから水中カッタ装置へ送られる。
尚、前記表面更新性スクリュ６のスクリュセグメント９は、下流方向へ輸送能力を有する混練ピースで、各ディスク８はスクリュ軸１０周りに、位相角θ（４５度）で配列されている。
【０００７】
また、前述の特許文献３に開示されたスクリュ混練押出機においては、図９に示されるように、シリンダ１内に設けられたスクリュ３は、その上流から下流にかけて、攪拌部１１、混練輸送部１２、表面更新性スクリュピース６及び混練輸送部１２ａで構成されており、各混錬輸送部１２，１２ａ間に表面更新性スクリュピース６が配設されている。
【０００８】
また、前述の特許文献４に開示された混合装置及び混合要素においては、図１０に示されるように、互いに噛み合う一対のスクリュセグメント９には、その外周位置に互いに１８０度対向して一対のウィング状のチップフライト部２０が形成され、この各チップフライト部２０によって表面更新性を促進するようにしていた。
【先行技術文献】
【特許文献】
【０００９】
【特許文献１】特開平１１−２７７６０４号公報
【特許文献２】特開２０１０−１７９５７５号公報
【特許文献３】特開２００４−３０６５４７号公報
【特許文献４】特開昭６３−１５１３４０号公報
【発明の概要】
【発明が解決しようとする課題】
【００１０】
従来の押出機における脱揮装置は、以上のように構成されているため、次のような課題が存在していた。
すなわち、前述の特許文献１で示される従来構成の場合、脱揮領域で存在する各スクリュの噛み合い部で溶融樹脂の一部を逆流させ、滞留時間を稼ぐことによって脱揮をするが、脱揮の促進には、滞留時間だけでなく、脱揮される樹脂の暴露面積の拡大が必要である。しかし、フライトの繋がった輸送スクリュでは輸送能力が高く、表面更新能力が不足することがあった。
また、脱揮領域でのプラスチック原料の暴露面積が減少しないように、シリンダ内部でプラスチック原料を充満させない輸送能力の高いスクリュピースを配置し、表面更新させることを考慮しなくてはならない。しかし、輸送能力が高いため、滞留時間が低下し、表面更新効率が悪くなるため、多くの混練スクリュを配備し、脱揮領域を長くしないと効果が得られないという欠点があった。
また、特許文献２で示される従来構成の場合、表面の更新を促進させるため、セグメントスクリュの多数のディスクに位相角を持たせた状態で軸方向に積層させなければならず、セグメントスクリュ自体が軸方向に長くなることになっていた。
また、特許文献３で示される従来構成の場合、各混練輸送部の間に表面更新性スクリュピースを設けていたため、スクリュ自体の全長を短縮することが困難であった。
また、特許文献４に示される従来構成の場合、各スクリュセグメントにチップフライト部が形成されているが、このチップフライト部にねじりが加えられていないため、輸送能力を期待することが難しく、過剰な滞留を避けることが困難であった。
【課題を解決するための手段】
【００１１】
本発明による押出機における脱揮装置は、真空ベント口を有するシリンダ内で一対のスクリュが互いに噛み合い同方向に回転する二軸押出機の脱揮領域において、前記脱揮領域の上流の混練部の直後に表面更新性スクリュを配置してなる押出機における脱揮装置において、前記表面更新性スクリュの各スクリュセグメントの外周に設けた各チップフライト部が、隙間を介して互いに非接触で噛み合うと共に、前記各チップフライト部は、ねじりが形成され、かつ、前記表面更新性スクリュのスクリュ軸直角断面における長軸側の両端部に空隙間部を介して形成され、前記空隙間部内を他の前記スクリュセグメントの前記チップフライト部が通過できるように配置している構成であり、また、前記チップフライト部は、断面形状で台形をなす構成であり、また、本発明による押出機における脱揮方法は、真空ベント口を有するシリンダ内で一対のスクリュが互いに噛み合い同方向に回転する二軸押出機の脱揮領域において、前記脱揮領域の上流の混練部の直後に表面更新性スクリュを配置してなる押出機における脱揮装置を用い、前記表面更新性スクリュの各スクリュセグメントの外周に設けたチップフライト部が、隙間を介して互いに非接触で噛み合うと共に、前記各チップフライト部は、ねじりが形成され、かつ、前記表面更新性スクリュのスクリュ軸直角断面における長軸側の両端部に空隙間部を介して形成され、前記空隙間部内を他の前記スクリュセグメントの前記チップフライト部が通過できるように配置している状態で用いる方法であり、また、前記チップフライト部は、断面形状で台形をなす方法である。
【発明の効果】
【００１２】
本発明による押出機における脱揮装置及び方法は、以上のように構成されているため、次のような効果を得ることができる。
すなわち、真空ベント口を有するシリンダ内で一対のスクリュが互いに噛み合い同方向に回転する二軸押出機の脱揮領域において、前記脱揮領域の上流の混練部の直後に表面更新性スクリュを配置してなる押出機における脱揮装置において、前記表面更新性スクリュの各スクリュセグメントの外周に設けた各チップフライト部が、隙間を介して互いに非接触で噛み合うと共に、前記各チップフライト部は、ねじりが形成され、かつ、前記表面更新性スクリュのスクリュ軸直角断面における長軸側の両端部に空隙間部を介して形成され、前記空隙間部内を他の前記スクリュセグメントの前記チップフライト部が通過できるように配置していることにより、混練部直後の脱揮領域に表面更新性スクリュセグメントを配置してスクリュに原料を滞留させ、隣り合うスクリュの羽根が隙間を保ったまま噛み合うことによりプラスチック原料が薄膜化し、表面更新を促進させることができる。また、表面更新性スクリュセグメントに設けられたチップフライト部にねじりを設けることで過剰な滞留を抑制し、減圧雰囲気下に曝されるプラスチック原料の表面積を増加させ原料に含有される揮発成分を効果的に除去することが可能となる。
また、前記チップフライト部は、断面形状で台形をなすことにより、チップフライト部にねじり加工を容易に施すことができる。
【図面の簡単な説明】
【００１３】
【図１】本発明による押出機における脱揮装置を示す概略構成図である。
【図２】図１の比較例を示す概略構成図である。
【図３】図１の表面更新性スクリュセグメントの噛み合い状態を示す断面図である。
【図４】図３のスクリュセグメントの右側面図である。
【図５】図１の押出機における脱揮装置の他の形態を示す概略構成図である。
【図６】従来構成を示す概略構成図である。
【図７】図６の表面更新性スクリュを示す拡大側面図である。
【図８】図７の右側からみた正面図である。
【図９】他の従来構成を示す概略構成図である。
【図１０】他の従来構成を示す要部の断面図である。
【図１１】各スクリュ形状における脱揮性能を示す特性図である。
【図１２】各スクリュ形状における比エネルギーを示す特性図である。
【図１３】各スクリュ形状における押出機先端出口樹脂温度を示す特性図である。
【発明を実施するための形態】
【００１４】
本発明は、各スクリュセグメントのチップフライト部をねじることにより、輸送能力の付加及びシリンダ内部の原料の過剰充満の防止をしながら、表面更新・薄膜化させることにより総暴露面積が拡大し、高い脱揮効果が得られるようにした押出機における脱揮装置及び方法を提供することを目的とする。
【実施例】
【００１５】
以下、図面と共に本発明による押出機における脱揮装置及び方法の好適な実施の形態について説明する。
尚、従来例と同一又は同等部分には、同一符号を用いて説明する。
図１において符号１で示されるものは全体形状が長手中空形状の円筒形のシリンダであり、このシリンダ１の後段側にシリンダ１内を負圧状態に保つための脱揮用の真空ベント口２が形成されている。
【００１６】
前記シリンダ１内には、一対のスクリュ３が互いに噛み合った状態で内設されており、このスクリュ３は、その上流から下流にかけて混練部４及び脱揮領域５が設けられ、この脱揮領域５内には、その上流に表面更新性スクリュ６が形成され、その下流に原料充満部７が形成されている。
【００１７】
前記表面更新性スクリュ６は、前記混練部４の直後の脱揮領域５の前段として配設されており、この表面更新性スクリュ６は、表面更新・薄膜化能力の高いスクリュセグメントよりなり、総暴露面積が拡大し、原料中に含まれる揮発成分が効果的に除去されるように構成されている。
【００１８】
前記表面更新性スクリュ６は、図３及び図４で示されるように構成されている。
すなわち、前記脱揮領域５に位置する前記表面更新性スクリュ６は、一対のスクリュセグメント６Ａ，６Ｂと６Ｃ，６Ｄを組み込み、そのうちのスクリュセグメント６Ｂと６Ｃのスクリュ軸直角断面における長軸側の両端部に空隙間部２２を介して一対のチップフライト部２０が形成され、各チップフライト部２０同士が狭い隙間２１を介して互いに非接触状態で噛み合いかつ二軸同方向回転できるように構成されている。すなわち、前記空隙間部２２内を、図３で示されるように、他のスクリュセグメント６Ｂ又は６Ｃのチップフライト部２０が通過できるように配置している。
尚、前記各チップフライト部２０による隙間２１を保持した状態で各表面更新性スクリュ６が回転することにより、原料の薄膜化が可能となり、表面更新性が促進され、さらに、総暴露面積の拡大により高い脱揮効果が得られる。
また、前記各チップフライト部２０は、断面台形状をなすと共に、原料である溶融樹脂の輸送動作を可能とするために、軸方向に沿って螺旋状にねじりが加えられ、このねじりはＬＥＡＤ数で表わすと、１〜８程度である。
【００１９】
次に、動作について説明する。
押出機内に供給された原料は、シリンダ１内部に挿通されたスクリュ３により混練部４まで輸送され、混練部４で剪断作用を付加された後、輸送用のスクリュセグメントにより負圧状態となった脱揮領域５へ輸送される。この脱揮領域５には表面更新性を有するスクリュセグメント６Ａ〜６Ｄを設置し、原料を練り混ぜながら下流へ輸送することで、効率よく含有する揮発成分を除去する。図３に示すように、表面更新性スクリュセグメント６Ａ〜６Ｄの形状は、長軸側の両端部に計２ヶ所のフライトチップ部２０とそのチップの軸中心方向に有する空隙間部２２により構成される。６Ａと６Ｂと６Ｃと６Ｄのセグメントのフライトチップ部２０は、回転する際に非接触であり、お互いのフライトチップ部２０同士が狭い隙間２１を保ちながら表面更新を促進することにより、総暴露面積が拡大し高い脱揮効果が得られる。また、シリンダ１内部に原料が過剰に充満すると、減圧雰囲気に曝される原料の面積が低下し、脱揮効率が低下するため、チップフライト部２０は軸方向にねじられ、輸送能力を付加することにより、シリンダ１内部に原料を過剰に充満させることなく暴露面積を増加させ、脱揮効率の低下を抑制する。
尚、図２の比較例の構成及び図５の他の形態の構成は、図１の構成の変形であるため、図１と同一又は同等部分には同一符号を付し、その構成の説明は省略している。
【００２０】
次に、本出願人が実際に実施を行った実施例について説明する。
図１において、シリンダ１、スクリュ３、真空ベント口２を示す。加熱冷却可能なシリンダ１内に、スクリュ３が２本挿入され、図示しない駆動機にて同方向回転し、２本のスクリュ３はお互いに噛み合っている。
符号５は脱揮領域、４はシール部をなす混練部、６は表面更新スクリュを示す。脱揮領域５は、真空ベント口２から真空装置により吸気され、シール部である原料充満部７において原料が充満することにより気密性が保持され、負圧状態となっている。表面更新性スクリュ６は真空ベント口２の直下は避けるように配置されている。
【００２１】
下記に実験条件を示す。
原料：ＬＤＰＥ（Ｍｌ＝５０）
原料含有揮発成分：ｎ−Ｈｅ×（４０００ｐｐｍ）
シリンダ内径：φ６９ｍｍ
処理能力：１５０ｋｇ／ｈ
スクリュ回転速度：１００，１５０，２００ｒｐｍ
スクリュ形状：図２に比較例のスクリュ構成、及び図５に他のスクリュ構成を示す。
図２に比較例−を示す。比較例−は脱揮領域５に表面更新用スクリュを用いない従来スクリュ構成であり、下流側への輸送能力が高いスクリュセグメント（ＦＦ：Forwrd Full-flight）のみで構成されている。
図５に、実施例としての他形態を示す。実施例−は脱揮領域５に、ＬＥＡＤ数が約６とした本発明の表面更新性スクリュ６を８個４セット配置した構成（図５）となる。
【００２２】
［結果］
図１１，１２，１３に、スクリュ回転速度を変更した３条件のデータを平均した値を示す。
図１１は、各スクリュ形状における脱揮性能を示す。脱揮性能とは、各スクリュ形状での脱揮率とした。脱揮率は、（1−Cout／Cin）＊１００とする。
Cout＝押出機から吐出された原料に含有される揮発成分濃度
Cin ＝押出機へ供給される前の原料に含有される揮発成分濃度
図１２は、各スクリュ形状における比エネルギーを示す。
図１３は、各スクリュ形状における押出機先端出口樹脂温度を示す。
羽根にねじりを有する新型表面更新スクリュ６を用いた図５のスクリュは、比較例である図２のスクリュに比べ、樹脂温度、比エネルギーともにほとんど変化がなかったが、脱揮率は１１％向上した。
【００２３】
本発明の前述の構成をまとめると、次の通りである。
すなわち、真空ベント口２を有するシリンダ１内で一対のスクリュ３が互いに噛み合い同方向に回転する二軸押出機の脱揮領域５において、前記脱揮領域５の上流の混練部４の直後に表面更新性スクリュ６を配置してなる押出機における脱揮装置において、前記表面更新性スクリュ６の各スクリュセグメント６Ｂ，６Ｃの外周に設けたチップフライト部２０が、隙間２１を介して互いに非接触で噛み合うと共に、前記各チップフライト部２０は、ねじりが形成され、かつ、前記表面更新性スクリュ６のスクリュ軸直角断面における長軸側の両端部に空隙間部２２を介して形成され、前記空隙間部２２内を他の前記スクリュセグメント６Ｂまたは６Ｃの前記チップフライト部２０が通過できるように配置している構成であり、また、前記チップフライト部２０は、断面形状で台形をなす構成である。
従って、本発明は、混練部４に隣接し、樹脂により気密された脱揮領域５において、混練部４の混練スクリュの直後に、フライトが繋がっていない表面更新性スクリュ６を配備し、また樹脂が充満しないように輸送能力を持たせ、隣り合うチップフライト部２０同士が噛み合う形状であるため薄膜形成能力を持っており、滞留時間の増加、混練表面更新効率の向上、薄膜形成能力の向上が可能な脱揮装置及び方法を得ることができる。
【産業上の利用可能性】
【００２４】
本発明による押出機における脱揮装置及び方法は、表面更新スクリュのスクリュセグメントに設けたチップフライト部にねじりを設け、滞留時間の増加・混練表面更新効率の向上及び薄膜形成能力の向上を得ることを目的とする。
【符号の説明】
【００２５】
１    シリンダ
２    真空ベント口
３    スクリュ
４    混練部（シール部）
５    脱揮領域
６    表面更新性スクリュ
６Ａ〜６Ｄ    スクリュセグメント
７    原料充満部（シール部）
２０    チップフライト部
２１    隙間
２２    空隙間部
【図１】
0005684063.tif 000002
【図２】
0005684063.tif 000003
【図３】
0005684063.tif 000004
【図４】
0005684063.tif 000005
【図５】
0005684063.tif 000006
【図６】
0005684063.tif 000007
【図７】
0005684063.tif 000008
【図８】
0005684063.tif 000009
【図９】
0005684063.tif 000010
【図１０】
0005684063.tif 000011
【図１１】
0005684063.tif 000012
【図１２】
0005684063.tif 000013
【図１３】
0005684063.tif 000014